(57)【要約】【課題】蛍光ランプの着脱を容易にして蛍光ランプ交換の作業性を向上させ、かつ、照明器具の幅寸法を小さく抑えることができるランプソケットおよび照明器具を提供する。【解決手段】照明器具１０は、ソケット本体２１に突没自在に収納されるとともに口金部１６の係止部１６ａに係合可能な保持材２８を支える可動部２５と、可動部２５をソケット本体２１に押し込んだ位置に保持可能なロック機構２６とを備えている。そして、ソケット本体２１に可動部２５を押し込んだ位置にロック機構２６で保持した状態において、保持材２８が係止部１６ａに係合する。一方、ソケット本体２１に可動部２５を再度一度押し込むことにより保持材２８が係止部１６ａから離脱する。【選択図】図２
2010198783.tif 000002
【特許請求の範囲】
【請求項１】
ランプ管の両端側近傍の円周上に設けられた口金部を保持するランプソケットにおいて、
ランプソケットの本体を構成するソケット本体と、
前記ソケット本体に突没自在に収納されるとともに前記口金部の係止部に係合可能な保持材を支える可動部と、
前記可動部を前記ソケット本体に押し込んだ位置に保持可能なロック機構と、
を備え、
前記ソケット本体に前記可動部を押し込んだ位置に前記ロック機構で保持した状態において、前記保持材が前記ランプ側の係止部に係合し、前記ソケット本体に前記可動部を再度一度押し込むことにより前記保持材が前記係止部から離脱することを特徴とするランプソケット。
【請求項２】
請求項１において、前記可動部に、前記ソケット本体との間において可動可能に保持材が支えられ、
前記保持材が、前記可動部と前記ソケット本体との間において、前記可動部の押込み／抜出し動作に応じて前記可動部の動作方向に対して直交する方向に移動可能としたことを特徴とするランプソケット。
【請求項３】
請求項２において、前記ソケット本体に、前記口金部から突出したランプピンと接続可能な受金部が突没可能に支持され、
前記受金部は、前記ランプ管の着脱動作に合わせて前記可動部に対して独立した状態で突没自在に支持されたことを特徴とするランプソケット。
【請求項４】
請求項３において、前記ランプ管の未装着状態で、前記可動部の口金接触面が前記受金部の受金面に対して突出量が大きく、
前記ランプ管の装着状態で、前記可動部の口金接触面が前記受金部の受金面に対して面一になることを特徴とするランプソケット。
【請求項５】
請求項１〜４記載のいずれかのランプソケットを備えた照明器具。
【発明の詳細な説明】
【技術分野】
【０００１】
本発明は、直管蛍光管の口金部をランプソケットに保持することで、口金部に突設されたランプピンがランプソケットの導電部に通電可能に接続されるランプソケットおよび照明器具に関する。
【背景技術】
【０００２】
従来の照明器具１００は、図１３に示すように、ランプソケット１０１に弾性部材なる導電可能な保持部１０２が設けられ、蛍光ランプ１０３に直管蛍光管１０４の軸方向に対して直交する方向に向けてランプピン１０６が突設された口金部１０５が設けられている。口金部１０５の側面に突起１０５ａが設けられている。
ランプソケット１０１にランプピン１０６を差し込む際に、ランプピン１０６を保持部１０２間に差し込むことで、弾性変形可能な保持部１０２で口金部１０５の突起１０５ａを挟持して蛍光ランプ１０３をランプソケット１０１に設置および保持できる。
【０００３】
一方、蛍光ランプ１０３をランプソケット１０１から取り外す際には、蛍光ランプ１０３をランプソケット１０１から離れる方向（すなわち、下方）に引張る。
これにより、ランプソケット１０１からランプピン１０６を引き抜くとともに、弾性変形可能な保持部１０２による口金部１０５（突起１０５ａ）の挟持を解除して蛍光ランプ１０３を取り外すことができる（例えば、特許文献１参照。）。
【先行技術文献】
【特許文献】
【０００４】
【特許文献１】特開２００８−１１７６８号公報
【発明の概要】
【発明が解決しようとする課題】
【０００５】
ここで、従来の照明器具１００は、弾性変形可能な保持部１０２で口金部１０５の突起１０５ａを挟持することで蛍光ランプ１０３をランプソケット１０１に設置および保持している。
ランプソケット１０１から蛍光ランプ１０３を取り外す際には、蛍光ランプ１０３を指で確実につまむ必要があり、そのためのスペース（空間）が照明器具１００に要求される。
【０００６】
照明器具１００を設計する際や、照明器具１００を施工する際には、蛍光ランプ１０３を指でつまむスペースを考慮した設計、設備が必要とされ、照明器具１００のデザイン的な要求を達成することが困難であるとされていた。
さらに、口金部１０５の突起１０５ａが弾性変形可能な保持部１０２で挟持されている。この挟持を確実にすればするほど、蛍光ランプ１０３を取外す際に大きな力が必要になり、蛍光ランプ１０３を取外す作業性が低下することが考えられる。
【０００７】
本発明の目的は、上記従来の問題点に鑑みてなされたものであり、蛍光ランプの着脱を容易にして蛍光ランプ交換の作業性を向上させ、かつ、照明器具の幅寸法を小さく抑えることができるランプソケットおよび照明器具を提供することを課題とする。
【課題を解決するための手段】
【０００８】
本発明は、ランプ管の両端側近傍の円周上に設けられた口金部を保持するランプソケットにおいて、ランプソケットの本体を構成するソケット本体と、前記ソケット本体に突没自在に収納されるとともに前記口金部の係止部に係合可能な保持材を支える可動部と、前記可動部を前記ソケット本体に押し込んだ位置に保持可能なロック機構と、を備え、前記ソケット本体に前記可動部を押し込んだ位置に前記ロック機構で保持した状態において、前記保持材が前記ランプ側の係止部に係合し、前記ソケット本体に前記可動部を再度一度押し込むことにより前記保持材が前記係止部から離脱することを特徴とする。
【０００９】
また、本発明は、前記可動部に、前記ソケット本体との間において可動可能に保持材が支えられ、前記保持材が、前記可動部と前記ソケット本体との間において、前記可動部の押込み／抜出し動作に応じて前記可動部の動作方向に対して直交する方向に移動可能としたことを特徴とする。
【００１０】
さらに、本発明は、前記ソケット本体に、前記口金部から突出したランプピンと接続可能な受金部が突没可能に支持され、前記受金部は、前記ランプ管の着脱動作に合わせて前記可動部に対して独立した状態で突没自在に支持されたことを特徴とする。
【００１１】
また、本発明は、前記ランプ管の未装着状態で、前記可動部の口金接触面が前記受金部の受金面に対して突出量が大きく、前記ランプ管の装着状態で、前記可動部の口金接触面が前記受金部の受金面に対して面一になることを特徴とする。
【００１２】
さらに、本発明は、前記ランプソケットを照明器具に備えたことを特徴とする。
【発明の効果】
【００１３】
本発明では、ソケット本体に可動部を押し込んだ位置にロック機構で保持した状態において、保持材がランプ側の係止部に係合するようにした。
よって、可動部を口金部でソケット本体内に押し込むことにより、保持材が口金部に係合してランプ管をランプソケットに保持できる。
【００１４】
さらに、口金部で可動部をソケット本体内に再度押し込むことにより、ロック機構による可動部のロック状態が解除され、可動部がソケット本体から押し出される。
可動部がソケット本体から押し出されることで、ランプ管をランプソケットから外すことができる。
【００１５】
よって、口金部で可動部をソケット本体内に押し込むだけの操作でランプ管の着脱ができる。これにより、従来の照明器具のようにランプ管を掴んで着脱する必要がないのでランプ管の着脱操作が容易になり、ランプ管の交換の際の作業性を向上させることができる。
また、ランプ管を掴んで着脱する必要がないのでランプ管を掴むスペースを不要にできる。これにより、ランプソケットの幅寸法をランプ管の外径に近づけて照明器具を細く設計できる。
【００１６】
また、本発明では、保持材が可動部の押込み動作方向あるいは押出動作方向に対して直交する方向に揺動可能に支持されている。
よって、可動部がソケット本体内に押し込まれていない状態において保持材を口金部の係止部から離すことができ、可動部がソケット本体内に押し込まれた状態において保持材を口金部の係止部に係合させてランプ管を保持材で確実に保持できる。
【００１７】
さらに、本発明では、口金部のランプピンを接続する受金部が、ソケット本体内に突没可能に支持されている。
これにより、口金部で可動部を押込み／押出し動作させた際に、口金部の動作に追従させて受金部を突没させることができ、ランプピンとの電気的接続を一層確実にできる。
【００１８】
また、本発明では、ランプ管の未装着状態で、可動部の口金接触面が受金部の受金面に対して突出量が大きく、ランプ管の装着状態で、可動部の口金接触面が受金部の受金面に対して面一になるようにした。
【００１９】
よって、受金部の動作を少なく抑えることが可能になり、ランプ管の装着前（すなわち、可動部がソケット本体内に押し込まれる前）において、受金部に内蔵されている導電部に対してランプピンを非接触状態に保つことができる。
これにより、照明器具の誤使用を防止でき、かつ、ランプ管が完全に取り付けられていない状態（すなわち、不完全ロック状態）になることを防止できる。
【００２０】
さらに、ランプ管の装着時に、受金部の受金面を口金接触面に対して略同一面にできる。これにより、口金部を受金部に密着させることができるので、埃の侵入を防止することができ、さらに、トラッキング現象などの不具合を防止できる。
【００２１】
さらに、本発明では、ランプソケットを備えた照明器具においては、ランプ管の幅よりも内側においてランプ管の着脱操作をおこなうことができる。
これにより、照明器具を幅方向に隣接して設置でき、隣接するランプ管間の隙間を小さく抑えることが可能になり、幅方向につながりのある光源が実現できる。
【図面の簡単な説明】
【００２２】
【図１】本発明に係る照明器具を示す斜視図
【図２】本発明に係るランプソケットを示す分解斜視図
【図３】本発明に係るランプソケットを示す斜視図
【図４】（Ａ）は図３のランプソケットを示す側面図、（Ｂ）は図４（Ａ）のＡ−Ａ線断面図
【図５】図３のランプソケットを示す断面図
【図６】本発明に係るランプソケットに蛍光ランプを保持した状態を示す斜視図
【図７】（Ａ）は図６のランプソケットを示す側面図、（Ｂ）は図７（Ａ）のＢ−Ｂ線断面図
【図８】図６のランプソケットを示す断面図
【図９】本発明に係るランプソケットから蛍光ランプを外す状態を示す斜視図
【図１０】（Ａ）は図９のランプソケットを示す側面図、（Ｂ）は図１０（Ａ）のＣ−Ｃ線断面図
【図１１】図９のランプソケットを示す断面図
【図１２】本発明に係る照明器具を複数並列に設けた状態を示す底面図
【図１３】従来のランプソケットを示す斜視図
【発明を実施するための形態】
【００２３】
本発明を実施するための最良の形態を添付図に基づいて以下に説明する。
【００２４】
（第１実施形態）
第１実施形態に係る照明器具１０について説明する。
図１に示すように、照明器具１０は、天井などにベース１１を介して取付可能なランプソケット１２と、ランプソケット１２に着脱可能な蛍光ランプ１３と備えている。
蛍光ランプ１３は、直管蛍光管（ランプ管）１５と、直管蛍光管１５の両端１５ａ近傍に設けられた口金部１６とを備えている。
【００２５】
図２に示すように、口金部１６は、略矩形体に形成され、直管蛍光管１５の軸方向に対して直交する方向にランプピン１８が突設され、後述する保持材２８に係合可能な係止部１６ａが設けられている。
【００２６】
ランプソケット１２は、ベース１１（図１参照）に取付可能なソケット本体２１と、ソケット本体２１に設けられた本体カバー２２と、ソケット本体２１と本体カバー２２で形成された可動収納部２３に突没自在に収納された可動部２５と、可動部２５をソケット本体２１に押し込んだ位置に保持可能なロック機構２６と、可動部２５に支持された保持材２８と、可動部２５をソケット本体２１から押し出す方向に付勢するスプリング２９とを備えている。
【００２７】
さらに、ランプソケット１２は、ソケット本体２１の受金収納部３２に突没自在に収納可能な受金部３３と、受金部３３内に収納された導電部３４と、導電部３４を覆う受金部カバー３５と、受金部３３をソケット本体２１から押し出す方向に付勢する金属ばね３７とを備えている。
【００２８】
ソケット本体２１は、ランプソケット１２の本体を構成するブロック状のケーシングである。このソケット本体２１は、本体カバー２２が組み付けられることで可動収納部２３が形成され、可動収納部２３に隣接して受金収納部３２が形成されている。
【００２９】
可動収納部２３には、スプリング２９、保持材２８および可動部２５が収納されている。具体的には、スプリング２９が可動収納部２３に収納され、さらに、スプリング２９の上方に保持材２８が配置された状態で可動収納部２３に収納され、加えて、保持材２８の上方に可動部２５が配置された状態で可動収納部２３に収納されている。
【００３０】
可動部２５には、ロック機構２６のピン４１が設けられている。ピン４１はロック機構２６のガイド溝４２に移動自在に嵌入され、いわゆる、ハートカム４３に沿って移動自在に支持されている。
ガイド溝４２およびハートカム４３は、本体カバー２２のうち可動収納部２３に対向する内面に形成されている。
【００３１】
ピン４１はロック機構２６のガイド溝４２に移動自在に嵌入されることで、可動部２５が可動収納部２３から抜け出すことを防止する。
さらに、ピン４１をハートカム４３の凹部４３ａに係止することで、可動部２５をスプリング２９の付勢力に抗してランプ管保持位置Ｐ１（図７参照）に保持することができる。
【００３２】
可動部２５がランプ管保持位置Ｐ１に保持されることで、保持材２８が口金部１６の係止部１６ａに係止される。
保持材２８は、連結片４６の両側に保持片４８が設けられている。この保持材２８は、可動部およびソケット本体との間に一対の保持片４８が配置された状態で、連結片４６が可動部２５に支えられている。
【００３３】
一対の保持片４８は、可動部２５とソケット本体２１との間において、ソケット本体２１側に向けて傾斜されてソケット本体２１に当接されている。
一対の保持片４８は、弾性変形可能な部材である。よって、一対の保持片４８は、可動部２５の押込み／抜出し動作に応じて、基部  を支点にして口金部１６に対して直交する方向（すなわち、可動部２５の動作方向に対して直交する方向）に弾性変形可能（すなわち、スイング移動可能）である。
【００３４】
よって、可動部２５がソケット本体２１内に押し込まれていない状態において保持材２８を口金部１６の係止部１６ａから離すことができ、可動部２５がソケット本体２１内に押し込まれた状態において保持材２８を口金部１６の係止部１６ａに係合させて蛍光ランプ１３を保持材２８で確実に保持できる。
【００３５】
受金収納部３２には、金属ばね３７、受金部３３、導電部３４および受金部カバー３５が収納されている。
受金部３３に導電部３４が収納され、収納された導電部３４が受金部カバー３５で覆われている。受金部カバー３５は受金部３３に係止されている。受金部３３、導電部３４および受金部カバー３５は一体に設けられている。
すなわち、金属ばね３７が受金収納部３２に収納され、さらに、金属ばね３７の上方に受金部３３が配置された状態で受金収納部３２に収納されている。
【００３６】
導電部３４は、口金部１６から突出したランプピン１８と接続可能な接続部である。
受金部３３は、導電部３４および受金部カバー３５が一体に設けられた状態で、受金収納部３２に、直管蛍光管１５の着脱動作に合わせて可動部２５に対して独立した状態で突没可能に支持されている。
これにより、口金部１６で可動部２５を押込み／押出し動作させた際に、口金部１６の動作に追従させて受金部３３を突没させることができ、ランプピン１８との電気的接続を一層確実にできる。
【００３７】
また、直管蛍光管１５の未装着状態で、可動部２５の口金接触面２５ａが受金部３３の受金面３３ａに対して突出量が大きくなるように設定されている。
さらに、直管蛍光管１５の装着状態で、可動部２５の口金接触面２５ａが受金部３３の受金面３３ａに対して面一になるように設定されている。
【００３８】
よって、受金部３３の動作を少なく抑えることが可能になり、蛍光ランプ１３の装着前（すなわち、可動部２５がソケット本体２１内に押し込まれる前）において、受金部３３に内蔵されている導電部３４に対してランプピン１８を非接触状態に保つことができる。
これにより、照明器具１０の誤使用を防止でき、かつ、蛍光ランプ１３が完全に取り付けられていない状態（すなわち、不完全ロック状態）になることを防止できる。
【００３９】
さらに、蛍光ランプ１３の装着時に、受金部３３の受金面３３ａを口金接触面２５ａに対して略同一面にできる。
これにより、口金部１６を受金部３３に密着させることができるので、埃の侵入を防止することができ、さらに、トラッキング現象などの不具合を防止できる。
【００４０】
つぎに、蛍光ランプ１３をランプソケット１２に係止する操作例を図３〜図１１に基づいて説明する。
まず、蛍光ランプ１３をランプソケット１２で保持する操作例を図３〜図８に基づいて説明する。
図３〜図５において、蛍光ランプ１３の口金部１６をランプソケット１２の可動部２５に対向させる。
この状態で、蛍光ランプ１３の口金部１６をランプソケット１２の可動部２５に向けて矢印Ａ方向に移動することで、口金部１６を口金接触面２５ａに当接させる。
この状態で、口金部１６は受金部３３の受金面３３ａに対して非接触状態に保たれている。
【００４１】
図６〜図８において、口金部１６を口金接触面２５ａに当接させた後、口金部１６で可動部２５を矢印Ａ方向に押し込むことで、口金部１６を受金部３３の受金面３３ａに当接する。
この状態で、口金部１６のランプピン１８が受金部３３に導電部３４に接続される。
【００４２】
口金部１６を可動部２５の口金接触面２５ａおよび受金部３３の受金面３３ａに密着させた状態で、可動部２５および受金部３３を押圧することで、可動部２５がスプリング２９の付勢力に抗してソケット本体２１に押し込まれる。
口金部１６を受金部３３に密着させることができるので、埃の侵入を防止することができ、さらに、トラッキング現象などの不具合を防止できる。
【００４３】
ここで、一対の保持片４８は、弾性変形可能で、かつ、ソケット本体２１の開口縁２１ａに当接されている。よって、可動部２５がソケット本体２１に押し込まれることで、一対の保持片４８が基部４８ｂを支点にして矢印Ｂ方向（図７（Ｂ）参照）すなわち、可動部２５の動作方向に対して直交する方向にスイング移動する。
【００４４】
口金部１６で可動部２５および受金部３３をランプ管保持位置Ｐ１まで押し込むことで、一対の保持片４８の先端部（係止部）４８ａが係止部１６ａに係合する。
この状態で、ロック機構２６のピン４１がハートカム４３の凹部４３ａに係止する。
【００４５】
よって、可動部２５および受金部３３がスプリング２９や金属ばね３７の付勢力に抗してランプ管保持位置Ｐ１に保持される。
可動部２５および受金部３３がランプ管保持位置Ｐ１に保持されることで、蛍光ランプ１３がランプソケット１２に保持される。
この状態で、ランプ管保持位置Ｐ１からさらに押込可能な押込代Ｓが確保されている。
【００４６】
このように、ソケット本体２１に可動部２５を押し込んだ位置にロック機構２６で保持した状態において、保持材２８が口金部１６の係止部１６ａに係合するようにした。
よって、可動部２５を口金部１６でソケット本体２１内に押し込むことにより、保持材２８が口金部１６に係合して蛍光ランプ１３をランプソケット１２に保持できる。
【００４７】
つぎに、蛍光ランプ１３をランプソケット１２から取り外す操作例を図９〜図１１に基づいて説明する。
図９〜図１１において、ランプ管保持位置Ｐ１の可動部２５および受金部３３を口金部１６で矢印Ａ方向にさらに押し込むことで、ロック機構２６のピン４１がハートカム４３の凹部４３ａ（図２参照）から外れる。
ロック機構２６のピン４１がハートカム４３の凹部４３ａから外れることで、可動部２５がスプリング２９の付勢力でランプ管保持位置Ｐ１から押し出されるとともに、受金部３３が金属ばね３７の付勢力でランプ管保持位置Ｐ１から押し出される。
【００４８】
可動部２５がランプ管保持位置Ｐ１から押し出されることで、一対の保持片４８が基部  を支点にして矢印Ｃ方向（図１０（Ｂ）参照）、すなわち、可動部２５の動作方向に対して直交する方向にスイング移動する。
一対の保持片４８が矢印Ｃ方向にスイング移動することで、一対の保持片４８の先端部（係止部）  が係止部１６ａから離れる。
一対の保持片４８の先端部（係止部）４８ａが係止部１６ａから離れることで、蛍光ランプ１３がランプソケット１２から外される。
【００４９】
このように、ソケット本体２１に可動部２５を押し込んだ位置にロック機構２６で保持した状態において、保持材２８が口金部１６の係止部１６ａに係合し、ソケット本体２１に可動部２５を再度一度押し込むことにより保持材２８が口金部１６の係止部１６ａから離脱することができる。
【００５０】
このように、口金部１６で可動部２５をソケット本体２１内に再度押し込むことにより、ロック機構２６による可動部２５のロック状態が解除され、可動部２５がソケット本体２１から押し出される。
可動部２５がソケット本体２１から押し出されることで、蛍光ランプ１３をランプソケット１２から外すことができる。
【００５１】
すなわち、図３〜図１１で説明したように、口金部１６で可動部２５をソケット本体２１内に押し込むだけの操作で蛍光ランプ１３の着脱ができる。
これにより、従来の照明器具のように蛍光ランプ１３を掴んで着脱する必要がないので蛍光ランプの着脱操作が容易になり、蛍光ランプ１３の交換の際の作業性を向上させることができる。
【００５２】
また、蛍光ランプ１３を掴んで着脱する必要がないので蛍光ランプ１３を掴むスペースを不要にできる。これにより、ランプソケット１２の幅寸法を蛍光ランプ１３の外径に近づけて照明器具１０を細く設計できる。
【００５３】
さらに、図１２に示すように、照明器具１０にランプソケット１２を備えることで、蛍光ランプ１３の幅よりも内側において蛍光ランプ１３の着脱操作をおこなうことができる。
これにより、照明器具１０を幅方向に隣接して設置でき、隣接する蛍光ランプ１３間の隙間Ｌを小さく抑えることが可能になり、幅方向につながりのある光源が実現できる。
【００５４】
なお、本発明に係る照明器具１０は、前述した実施形態に限定されるものではなく適宜変更、改良などが可能である。
例えば、第１実施形態〜第３実施形態で示した照明器具１０、ランプソケット１２、蛍光ランプ１３、直管蛍光管１５、口金部１６、ランプピン１８、ソケット本体２１、可動部２５、口金接触面２５ａ、ロック機構２６、保持材２８、受金部３３、受金面３３ａおよび先端部（係止部）４８ａなどの形状や構成は例示したものに限定するものではなく適宜変更が可能である。
【符号の説明】
【００５５】
１０  照明器具
１２  ランプソケット
１３  蛍光ランプ
１５  直管蛍光管（ランプ管）
１５ａ  直管蛍光管の両端
１６  口金部
１６ａ  係止部
１８  ランプピン
２１  ソケット本体
２５  可動部
２５ａ  口金接触面
２６  ロック機構
２８  保持材
３３  受金部
３３ａ  受金面
４８ａ  先端部（係止部）
【図１】
2010198783.tif 000003
【図２】
2010198783.tif 000004
【図３】
2010198783.tif 000005
【図４】
2010198783.tif 000006
【図５】
2010198783.tif 000007
【図６】
2010198783.tif 000008
【図７】
2010198783.tif 000009
【図８】
2010198783.tif 000010
【図９】
2010198783.tif 000011
【図１０】
2010198783.tif 000012
【図１１】
2010198783.tif 000013
【図１２】
2010198783.tif 000014
【図１３】
2010198783.tif 000015